(57)【要約】【課題】修復が容易な太陽電池モジュールを提供する。【解決手段】太陽電池モジュール１０は、第１太陽電池セル２０ａと、第２太陽電池セル２０ｂと、第１太陽電池セル２０ａに接続される第１接続部材６１および第２太陽電池セル２０ｂに接続される第２接続部材６２を含む接続部材と、を備える。第１接続部材６１は、第１絶縁層５０と、第１配線層５１と、第２配線層５２と、第１絶縁層５０を貫通して第１配線層５１と第２配線層５２を電気的に接続する貫通ビア５３とを有し、第１配線層５１が第１太陽電池セル２０ａのｎ側電極またはｐ側電極と電気的に接続される。第２接続部材６２は、第２絶縁層５５と、第３配線層５６とを有し、第３配線層５６が第２配線層５２と、第２太陽電池セル２０ｂのｎ側電極またはｐ側電極とに電気的に接続される。【選択図】図４
2018186248.tif 000002
【特許請求の範囲】
【請求項１】
一主面上にｎ側電極およびｐ側電極が設けられる第１太陽電池セルと、
一主面上にｎ側電極およびｐ側電極が設けられる第２太陽電池セルと、
前記第１太陽電池セルの一主面上および前記第２太陽電池セルの一主面上に接続される接続部材と、を備え、
前記接続部材は、前記第１太陽電池セルに接続される第１接続部材と、前記第２太陽電池セルに接続される第２接続部材と、を含み、
前記第１接続部材は、第１絶縁層と、前記第１絶縁層の第１面上に設けられる第１配線層と、前記第１絶縁層の前記第１面と反対側の第２面上に設けられる第２配線層と、前記第１絶縁層を貫通して前記第１配線層と前記第２配線層を電気的に接続する貫通ビアとを有し、前記第１配線層が前記第１太陽電池セルのｎ側電極またはｐ側電極と電気的に接続され、
前記第２接続部材は、第２絶縁層と、前記第２絶縁層上の第３配線層とを有し、前記第３配線層の第１部分が前記第２配線層と電気的に接続され、前記第３配線層の前記第１部分と異なる第２部分が前記第２太陽電池セルのｎ側電極またはｐ側電極と電気的に接続される太陽電池モジュール。
【請求項２】
前記貫通ビアは、前記第１太陽電池セルと前記第２太陽電池セルの間に配置される請求項１に記載の太陽電池モジュール。
【請求項３】
前記貫通ビアは、複数設けられ、複数の貫通ビアは、前記第１太陽電池セルと前記第２太陽電池セルが隣接する方向に異なる位置に設けられる請求項１または２に記載の太陽電池モジュール。
【請求項４】
前記第１接続部材は、前記第１配線層上に設けられる第１保護層をさらに含む請求項１から３のいずれか一項に記載の太陽電池モジュール。
【請求項５】
前記第２接続部材は、前記第３配線層上に設けられる第２保護層をさらに含む請求項１から４のいずれか一項に記載の太陽電池モジュール。
【請求項６】
前記ｎ側電極および前記ｐ側電極のそれぞれは、セル外周に沿って延在するバスバー電極と、前記バスバー電極から分岐して延在する複数のフィンガー電極と、を有し、
前記第１配線層は、前記バスバー電極と重なる位置に設けられ、前記フィンガー電極と重なる位置を避けて設けられる請求項１から５のいずれか一項に記載の太陽電池モジュール。
【請求項７】
一主面上にｎ側電極およびｐ側電極が設けられる第１太陽電池セルと、
一主面上にｎ側電極およびｐ側電極が設けられる第２太陽電池セルと、
前記第１太陽電池セルの一主面上および前記第２太陽電池セルの一主面上に接続される接続部材と、を備え、
前記接続部材は、絶縁層と、前記絶縁層の第１面上に設けられる第１配線層と、前記絶縁層の前記第１面と反対側の第２面上に設けられる第２配線層と、前記絶縁層を貫通して前記第１配線層と前記第２配線層を電気的に接続する貫通ビアとを有し、前記第１配線層の第１部分が前記第１太陽電池セルのｎ側電極またはｐ側電極と電気的に接続され、前記第１配線層の前記第１部分と異なる第２部分が前記第２太陽電池セルのｎ側電極またはｐ側電極と電気的に接続される太陽電池モジュール。
【発明の詳細な説明】
【技術分野】
【０００１】
本発明は、太陽電池モジュールに関する。
【背景技術】
【０００２】
太陽電池セルは、隣接する太陽電池セル間を接続部材により接続してモジュール化される。裏面にｎ側電極およびｐ側電極が設けられるバックコンタクト型の太陽電池セルの場合、太陽電池セルの裏面側に接続部材が設けられる。モジュール製造の途中で一部の太陽電池セルが損傷した場合、損傷した太陽電池セルに接続される接続部材を切断し、新たな太陽電池セルを接続することにより修復作業がなされる（例えば、特許文献１参照）。
【先行技術文献】
【特許文献】
【０００３】
【特許文献１】国際公開第２０１３／０３１２９７号
【発明の概要】
【発明が解決しようとする課題】
【０００４】
修復作業が容易な接続構造であることが好ましい。
【０００５】
本発明はこうした状況に鑑みてなされたものであり、その目的は、修復が容易な太陽電池モジュールを提供することにある。
【課題を解決するための手段】
【０００６】
本発明のある態様の太陽電池モジュールは、一主面上にｎ側電極およびｐ側電極が設けられる第１太陽電池セルと、一主面上にｎ側電極およびｐ側電極が設けられる第２太陽電池セルと、第１太陽電池セルの一主面上および第２太陽電池セルの一主面上に接続される接続部材と、を備える。接続部材は、第１太陽電池セルに接続される第１接続部材と、第２太陽電池セルに接続される第２接続部材と、を含む。第１接続部材は、第１絶縁層と、第１絶縁層の第１面上に設けられる第１配線層と、第１絶縁層の第１面と反対側の第２面上に設けられる第２配線層と、第１絶縁層を貫通して第１配線層と第２配線層を電気的に接続する貫通ビアとを有し、第１配線層が第１太陽電池セルのｎ側電極またはｐ側電極と電気的に接続される。第２接続部材は、第２絶縁層と、第２絶縁層上の第３配線層とを有し、第３配線層の第１部分が第２配線層と電気的に接続され、第３配線層の第１部分と異なる第２部分が第２太陽電池セルのｎ側電極またはｐ側電極と電気的に接続される。
【０００７】
本発明の別の態様もまた、太陽電池モジュールである。この太陽電池モジュールは、一主面上にｎ側電極およびｐ側電極が設けられる第１太陽電池セルと、一主面上にｎ側電極およびｐ側電極が設けられる第２太陽電池セルと、第１太陽電池セルの一主面上および第２太陽電池セルの一主面に接続される接続部材と、を備える。接続部材は、絶縁層と、絶縁層の第１面上に設けられる第１配線層と、絶縁層の第１面と反対側の第２面上に設けられる第２配線層と、絶縁層を貫通して第１配線層と第２配線層を電気的に接続する貫通ビアとを有し、第１配線層の第１部分が第１太陽電池セルのｎ側電極またはｐ側電極と電気的に接続され、第１配線層の第１部分と異なる第２部分が第２太陽電池セルのｎ側電極またはｐ側電極と電気的に接続される。
【０００８】
本発明によれば、修復が容易な太陽電池モジュールの提供できる。
【図面の簡単な説明】
【０００９】
【図１】実施の形態に係る太陽電池モジュールの構造を示す平面図である。
【図２】実施の形態に係る太陽電池モジュールの構造を示す断面図である。
【図３】実施の形態に係る太陽電池セルの裏面の構造を示す平面図である。
【図４】実施の形態に係るセル間接続部材の構造を詳細に示す断面図である。
【図５】第１接続部材によるセル間の接続構造を示す断面図である。
【図６】図５の第１接続部材を切断する様子を示す断面図である。
【図７】切断後の第１接続部材と第２接続部材を接続する様子を示す断面図である。
【図８】実施の形態に係る太陽電池モジュールの製造方法の流れを示すフローチャートである。
【発明を実施するための形態】
【００１０】
以下、図面を参照しながら、本発明を実施するための形態について詳細に説明する。図面の説明において同一の要素には同一の符号を付し、重複する説明を適宜省略する。
【００１１】
図１は、実施の形態に係る太陽電池モジュール１０の構造を示す平面図である。太陽電池モジュール１０は、複数の太陽電池セル２０と、セル間接続部材３１と、ストリング端接続部材３２と、ストリング間配線材３３と、外部取り出し配線材３４と、端子ボックス３６と、第１絶縁部材３８と、第２絶縁部材３９とを備える。
【００１２】
太陽電池モジュール１０は、ｘ方向およびｙ方向に二次元アレイ状に配置される複数の太陽電池セル２０を備える。ｘ方向に並べられる複数の太陽電池セル２０は、セル間接続部材３１により接続され、ｘ方向に延在するセルストリング１１，１２，１３，１４，１５，１６を構成する。複数のセルストリング１１〜１６は、ｘ方向と直交するｙ方向に並べられている。
【００１３】
本実施の形態では、ｘ方向に並べられる６枚の太陽電池セル２０により一つのセルトリングが構成され、ｙ方向に並べられる６本のセルストリング１１〜１６により太陽電池モジュール１０が構成される。ｘ方向およびｙ方向に並べられる太陽電池セル２０の数は例示にすぎず、任意の数の太陽電池セル２０が用いられてもよいことが理解されよう。
【００１４】
太陽電池セル２０は、いわゆるバックコンタクト型の太陽電池であり、受光面とは反対側の裏面にｎ側電極およびｐ側電極の双方が設けられる。図１は、太陽電池セル２０の裏面側を示しており、ｎ側電極およびｐ側電極のそれぞれが櫛歯状に形成される。太陽電池セル２０の裏面構造は、図３を参照しながら別途後述する。
【００１５】
セル間接続部材３１は、ｙ方向に隣接する太陽電池セル２０同士を接続する。ストリング端接続部材３２は、セルストリング１１〜１６の両端部に接続される。例えば、第１セルストリング１１の第１端部１１ａおよび第２端部１１ｂのそれぞれにストリング端接続部材３２が設けられる。
【００１６】
ストリング間配線材３３は、隣接するセルストリング同士を接続する。ストリング間配線材３３は、ｘ方向に隣接するストリング端接続部材３２同士を接続する。ストリング間配線材３３は、セルストリングの第１端部側において、第２セルストリング１２および第３セルストリング１３の第１端部１２ａ，１３ａの間と、第４セルストリング１４および第５セルストリング１５の第１端部１４ａ，１５ａの間とを接続する。ストリング間配線材３３は、セルストリングの第２端部側において、第１セルストリング１１および第２セルストリング１２の第２端部１１ｂ，１２ｂの間と、第３セルストリング１３および第４セルストリング１４の第２端部１３ｂ，１４ｂの間と、第５セルストリング１５および第６セルストリング１６の第２端部１５ｂ，１６ｂの間とを接続する。
【００１７】
外部取り出し配線材３４は、セルストリングの第１端部と端子ボックス３６の間を接続する。外部取り出し配線材３４は、第１セルストリング１１の第１端部１１ａと、第３セルストリング１３の第１端部１３ａと、第４セルストリング１４の第１端部１４ａと、第６セルストリング１６の第１端部１６ａとにそれぞれ設けられる。
【００１８】
太陽電池セル２０の裏面とストリング端接続部材３２の間にはシート状の第１絶縁部材３８または第２絶縁部材３９が挟みこまれている。第１絶縁部材３８は、セルストリングの第１端部側に設けられ、第２絶縁部材３９は、セルストリングの第２端部側に設けられている。第１絶縁部材３８は、太陽電池セル２０と、外部取り出し配線材３４および端子ボックス３６との間の位置にも設けられる。
【００１９】
端子ボックス３６は、太陽電池モジュール１０の発電電力を外部出力するための端子を備える。端子ボックス３６が備える外部出力用端子は、外部取り出し配線材３４を介して太陽電池セル２０に接続されている。端子ボックス３６には、外部取り出し配線材３４の間に接続されるバイパスダイオードがさらに設けられてもよい。
【００２０】
図２は、実施の形態に係る太陽電池モジュール１０の構造を示す断面図である。図２は、図１のＡ−Ａ線断面に対応し、第１セルストリング１１の断面を示す。太陽電池セル２０は、光電変換部２３と、ｎ側電極２４と、ｐ側電極２６とを有する。ｎ側電極２４およびｐ側電極２６は、受光面２１とは反対側の裏面２２に設けられる。太陽電池セル２０の厚さは、例えば、５０μｍ〜２５０μｍである。
【００２１】
ここで、受光面２１は、太陽電池セル２０において主に光（太陽光）が入射される主面を意味し、具体的には、太陽電池セル２０に入射される光の大部分が入射される面を意味する。一方、裏面２２は、受光面２１とは反対側の他方の主面を意味する。
【００２２】
セル間接続部材３１は、隣接する二つの太陽電池セル２０の一方のｎ側電極２４と、他方のｐ側電極２６とを接続する。太陽電池セル２０とセル間接続部材３１の間には導電性接着部４６が設けられる。セル間接続部材３１は、例えば、絶縁層と配線層とを有するプリント基板で構成され、例えば、フレキシブルプリント基板（ＦＰＣ）で構成される。
【００２３】
ストリング端接続部材３２は、第１セルストリング１１の第１端部１１ａおよび第２端部１１ｂに位置する太陽電池セル２０に接続される。図示する例において、ストリング端接続部材３２は、第１端部１１ａの太陽電池セル２０のｎ側電極２４に接続されており、別のストリング端接続部材３２は、第２端部１１ｂの太陽電池セル２０のｐ側電極２６に接続されている。太陽電池セル２０とストリング端接続部材３２の間には導電性接着部４６が設けられる。
【００２４】
ストリング端接続部材３２にはストリング間配線材３３または外部取り出し配線材３４が接続される。図示する例において、第１端部１１ａのストリング端接続部材３２には外部取り出し配線材３４が接続され、第２端部１１ｂのストリング端接続部材３２にはストリング間配線材３３が接続される。ストリング間配線材３３および外部取り出し配線材３４は、導電性接着部４８によりストリング端接続部材３２に接続される。
【００２５】
ストリング端接続部材３２は、例えば、絶縁層と配線層とを有するプリント基板で構成され、例えば、フレキシブルプリント基板（ＦＰＣ）で構成される。ストリング端接続部材３２は、例えば、絶縁層の両面に配線層を有し、両面の配線層が電気的に接続される構造を有する。
【００２６】
導電性接着部４６，４８は、接着性の樹脂基材と、導電性の粒子とを含む。導電性接着部４６は、例えば、バインダーとして、エポキシ樹脂、アクリル樹脂、ウレタン樹脂などの熱硬化性樹脂を含み、導電性の粒子として銀（Ａｇ）粒子、錫ビスマス（ＳｎＢｉ）系粒子、ニッケル（Ｎｉ）粒子などを含む。導電性接着部４６，４８は、例えば、導電性の樹脂ペーストを塗布することにより形成できる。導電性接着部４６，４８は、導電性のテープであってもよいし、半田等であってもよい。
【００２７】
太陽電池モジュール１０は、受光面保護部材４０、裏面保護部材４２および封止部材４４をさらに備える。
【００２８】
受光面保護部材４０は、太陽電池モジュール１０の受光面側に配置される。受光面保護部材４０として、透光性および遮水性を有するガラス板や、透光性プラスチック板等を用いることができる。受光面保護部材４０の厚さは、例えば、１ｍｍ〜１０ｍｍである。
【００２９】
裏面保護部材４２は、太陽電池モジュール１０の裏面側に配置される。裏面保護部材４２として、ガラス板やポリエチレンテレフタラート（ＰＥＴ）等の樹脂基板等を用いることができる。裏面保護部材４２の厚さは、例えば、５０μｍ〜２００μｍである。裏面保護部材４２は、フッ素系樹脂やＰＥＴ系樹脂のフィルムであってもよく、厚さが１０μｍ〜１ｍｍであってもよい。
【００３０】
封止部材４４は、受光面保護部材４０と裏面保護部材４２の間に設けられ、受光面保護部材４０と裏面保護部材４２の間に挟まれるセルストリングなどを封止する。封止部材４４として、例えば、ＥＶＡ（エチレン酢酸ビニル共重合体）や、ＰＶＢ（ポリビニルブチラール）、ポリイミド等の樹脂フィルムを用いることができる。封止部材４４の厚さは、例えば、１０μｍ〜８００μｍである。
【００３１】
図３は、実施の形態に係る太陽電池セル２０の裏面の構造を示す平面図である。太陽電池セル２０は、いわゆるバックコンタクト型の太陽電池セルであり、裏面２２にｎ側電極２４およびｐ側電極２６が設けられる。したがって、裏面２２とは反対側の受光面２１には電極構造が設けられない。
【００３２】
太陽電池セル２０は、外周が略矩形の形状を有し、四隅を隅切りしたような形状を有する。太陽電池セル２０の外周には、四つの長辺２８と、四つの短辺２９が設けられる。ｎ側電極２４は、一つの長辺２８ａに沿ってｘ方向に延在するｎ側バスバー電極２４ａと、ｎ側バスバー電極２４ａから分岐してｙ方向に延在する複数のｎ側フィンガー電極２４ｂとを有する。ｐ側電極２６は、一つの長辺２８ｂに沿ってｘ方向に延在するｐ側バスバー電極２６ａと、ｐ側バスバー電極２６ａから分岐してｙ方向に延在する複数のｐ側フィンガー電極２６ｂとを有する
【００３３】
光電変換部２３は、半導体基板と、半導体基板の一主面上の一部領域（ｎ型領域ともいう）に設けられるｎ型半導体層と、半導体基板の一主面上のｎ型半導体層とは異なる領域（ｐ型領域ともいう）に設けられるｐ型半導体層とを含む。ｎ側電極２４は、光電変換部２３のｎ型半導体層上に設けられ、ｐ側電極２６は、光電変換部２３のｐ型半導体層上に設けられる。
【００３４】
図４は、実施の形態に係るセル間接続部材３１の構造を詳細に示す断面図である。図４は、セルストリングの形成後に一部のセルが損傷した場合に、損傷したセルを交換し、新たなセルを接続して修復した場合の接続構造を示す。修復工程の詳細は、別途後述するが、損傷したセルと接続される第１接続部材６１を切断し、切断後に残る第１接続部材６１に第２接続部材６２を接続することにより、図４のセル間接続部材３１が構成される。
【００３５】
セル間接続部材３１は、隣接する二つの太陽電池セル２０ａ，２０ｂの間を接続する。セル間接続部材３１は、第１接続部材６１と、第２接続部材６２とを含む。第１接続部材６１は、導電性接着部４６を介して第１太陽電池セル２０ａに接続され、第２接続部材６２は、導電性接着部４６を介して第２太陽電池セル２０ｂに接続される。第１接続部材６１および第２接続部材６２は、導電性接着部４７により互いに接続される。
【００３６】
第１接続部材６１は、第１絶縁層５０と、第１配線層５１と、第２配線層５２と、貫通ビア５３と、第１保護層５４とを有する。第２接続部材６２は、第２絶縁層５５と、第３配線層５６と、第２保護層５７とを有する。第１接続部材６１および第２接続部材６２は、プリント基板で構成され、例えば、フレキシブルプリント基板（ＦＰＣ）で構成される。
【００３７】
第１絶縁層５０および第２絶縁層５５は、ポリイミドなどの絶縁性の樹脂材料で構成される基板であり、柔軟性または可撓性を有するフレキシブル基板である。第１絶縁層５０および第２配線層５２の厚さは、特に限定されないが、例えば１０μｍ〜２００μｍである。
【００３８】
第１配線層５１は、第１絶縁層５０の第１面５０ａ上に設けられ、第２配線層５２は、第１絶縁層５０の第１面５０ａと反対側の第２面５０ｂ上に設けられる。第３配線層５６は、第２絶縁層５５上に設けられる。第１配線層５１、第２配線層５２および第３配線層５６は、例えば、銅（Ｃｕ）や銀（Ａｇ）といった導電性の高い材料で構成される。第１配線層５１、第２配線層５２および第３配線層５６は、金（Ａｕ）やＮｉ（ニッケル）などのめっき層を含んでもよい。第１配線層５１、第２配線層５２および第３配線層５６の厚さは、特に限定されないが、例えば、５μｍ〜１５０μｍ程度であり、例えば１０μｍ〜１００μｍ程度である。
【００３９】
貫通ビア５３は、第１絶縁層５０を貫通するスルーホール内に設けられ、第１配線層５１と第２配線層５２を電気的に接続する。貫通ビア５３は、スルーホールの側壁を被覆したような中空形状を有し、中央部が空洞となっている。貫通ビア５３は、スルーホールの内部全体を充填するように設けられてもよい。貫通ビア５３は、銅（Ｃｕ）や銀（Ａｇ）といった導電性の高い材料で構成される。貫通ビア５３の直径ｄは、特に限定されないが、例えば５０μｍ〜１ｍｍ程度であり、例えば１００μｍ〜５００μｍ程度である。
【００４０】
第１配線層５１は、導電性接着部４６を介して第１太陽電池セル２０ａの裏面２２に接続される。図示される例では、第１配線層５１が第１太陽電池セル２０ａのｐ側電極２６に接続され、より具体的には図３に示すｐ側バスバー電極２６ａに接続される。第１配線層５１のうち第１太陽電池セル２０ａが接続される箇所とは異なる箇所には、第１保護層５４が設けられる。第１配線層５１は、第１太陽電池セル２０ａのｎ側電極２４と接続されてもよく、より具体的には図３に示すｎ側バスバー電極２４ａに接続されてもよい。したがって、第１配線層５１は、第１太陽電池セル２０ａのｎ側電極２４またはｐ側電極２６に接続される。なお、第１配線層５１は、第１太陽電池セル２０ａのバスバー電極２４ａ，２６ａと重なる位置に設けられ、フィンガー電極２４ｂ，２６ｂと重なる位置を避けて設けられる。
【００４１】
第３配線層５６は、導電性接着部４７を介して第２配線層５２に接続され、導電性接着部４６を介して第２太陽電池セル２０ｂの裏面２２に接続される。図示される例では、第３配線層５６が第２太陽電池セル２０ｂのｎ側電極２４に接続され、より具体的には図３ｎ側バスバー電極２４ａに接続される。第３配線層５６は、第２太陽電池セル２０ｂのｐ側電極２６と接続されてもよく、より具体的には図３に示すｐ側バスバー電極２６ａに接続されてもよい。したがって、第３配線層５６は、第２太陽電池セル２０ｂのｎ側電極２４またはｐ側電極２６に接続される。なお、第３配線層５６は、第２太陽電池セル２０ｂのバスバー電極２４ａ，２６ａと重なる位置に設けられ、フィンガー電極２４ｂ，２６ｂと重なる位置を避けて設けられる。
【００４２】
第３配線層５６は、第２配線層５２に接続される第１部分５６ａと、第２太陽電池セル２０ｂに接続される第２部分５６ｂと、第１部分５６ａと第２部分５６ｂの間に位置するおよび第３部分５６ｃとを有する。第３配線層５６の第３部分５６ｃには、第２保護層５７が設けられる。
【００４３】
導電性接着部４７は、他の導電性接着部４６，４８と同様に樹脂系の接着部材で構成される。導電性接着部４７は、半田等で構成されてもよい。
【００４４】
第１保護層５４および第２保護層５７は、樹脂材料で構成され、例えば、エポキシ樹脂やアクリル樹脂、ウレタン樹脂などの樹脂材料で構成される。第１保護層５４および第２保護層５７は、チタニア（ＴｉＯ２）やアルミナ（Ａｌ２Ｏ３）などの粒子を含み、白色となるように構成されてもよいし、カーボンブラックなどの絶縁性の黒色粒子を含み、黒色となるように構成されてもよい。
【００４５】
つづいて、太陽電池モジュール１０の製造方法を説明する。
図５は、第１接続部材６１によるセル間の接続構造を示す断面図であり、修復前のセルストリング７０の接続構造を示す。セルストリング７０は、上述の複数のセルストリング１１〜１６のいずれかに対応しうる。第１接続部材６１は、第１太陽電池セル２０ａと、修復前の第２太陽電池セル（第３太陽電池セルともいう）２０ｃとを接続する。図５に示す例では、第３太陽電池セル２０ｃが破損しており、第３太陽電池セル２０ｃをセルストリング７０から除去する必要がある。
【００４６】
第１接続部材６１は、第１絶縁層５０と、第１配線層５１と、第２配線層５２と、複数の貫通ビア５３と、第１保護層５４とを有する。第１配線層５１は、第１太陽電池セル２０ａに接続される第１部分５１ａと、第３太陽電池セル２０ｃに接続される第２部分５１ｂと、第１部分５１ａと第３部分５１ｃの間に位置する第３部分５１ｃとを有する。第３部分５１ｃは、隣接する二つの太陽電池セル２０ａ，２０ｃの間に位置する。第３部分５１ｃの位置には、複数の貫通ビア５３および第１保護層５４が設けられる。複数の貫通ビア５３は、第１太陽電池セル２０ａおよび第３太陽電池セル２０ｃが隣接する方向（ｙ方向）に異なる位置に設けられる。
【００４７】
図６は、図５の第１接続部材６１を切断する様子を示す断面図である。第１接続部材６１は、第１太陽電池セル２０ａと第３太陽電池セル２０ｃの間の位置で切断され、例えば、図示される切断線Ｃに沿って切断される。第１接続部材６１は、切断後に使用する部分に貫通ビア５３が含まれるように切断され、正常な第１太陽電池セル２０ａと切断線Ｃとの間に貫通ビア５３が位置するように切断される。図示されるようにｙ方向に複数の貫通ビア５３が設けられる場合、複数の貫通ビア５３の間の位置を切断することにより、切断後の第１接続部材６１に貫通ビア５３を含めることができる。
【００４８】
図７は、切断後の第１接続部材６１と第２接続部材６２を接続する様子を示す断面図である。第２接続部材６２は、交換用の新たな第２太陽電池セル２０ｂが接続されており、第３配線層５６の第２部分５６ｂに設けられる導電性接着部４６を介して第２太陽電池セル２０ｂの裏面２２に接続されている。第３配線層５６の第１部分５６ａには、第２配線層５２と接続するための導電性接着部４７が設けられている。図７に示す状態で、第３配線層５６上の導電性接着部４７を第２配線層５２に接着することにより、図５に示すセル間接続構造ができあがる。なお、導電性接着部４７は、第２配線層５２にあらかじめ設けられてもよい。
【００４９】
図８は、実施の形態に太陽電池モジュール１０の製造方法の流れを示すフローチャートである。まず、複数の太陽電池セル２０を第１接続部材６１により接続してセルストリング７０を形成する（Ｓ１０）。形成したセルストリング７０に含まれる太陽電池セル２０が損傷していれば（Ｓ１２のＹ）、損傷した太陽電池セルに接続される第１接続部材６１を切断し（Ｓ１４）、交換用の新たな太陽電池セルと切断後の第１接続部材６１とを第２接続部材６２により接続し（Ｓ１６）、セルストリングを修復する。セルストリングにセル損傷がなければ（Ｓ１２のＮ）、Ｓ１４およびＳ１６の処理をスキップする。つづいて、形成または修復した複数のセルストリングにストリング間配線材３３および外部取り出し配線材３４を接続し、配線材が接続された複数のセルストリングを受光面保護部材４０と裏面保護部材４２の間に配置して封止部材４４により封止する（Ｓ１８）。これにより、図１および図２に示す太陽電池モジュール１０ができあがる。
【００５０】
以上の構成の太陽電池モジュール１０によれば、セルストリング７０の形成時に両面に配線層が設けられる第１接続部材６１を用いるため、セル損傷が発生した場合であっても、切断後の第１接続部材６１を介して容易に電気的接続を得ることができる。仮にセル間接続部材として第１配線層５１のみが設けられ、第２配線層５２が設けられない接続部材を使用した場合、裏面側に露出する第２配線層５２が設けられないため、セル間接続部材以外の場所で電気的接続を得る必要がある。この場合、正常な太陽電池セルのバスバー電極には接続部材が接着されていることから、接続部材を除去して別の接続部材を取り付けるか、接続部材を除去せずにフィンガー電極の位置で電気的に接続する必要がある。樹脂接着剤により接続部材が接着されている場合、接続部材をきれいに除去することは難しく、接続部材の除去工程において追加のセル損傷が生じてしまうおそれがある。一方、本実施の形態によれば、切断後の第１接続部材６１の裏面側に第２配線層５２が露出しているため、第２配線層５２に第２接続部材６２を接続するだけで第１接続部材６１と接続される第１太陽電池セル２０ａとの導通を得ることができる。したがって、本実施の形態によれば、セルストリング７０にてセル損傷が発生した場合であっても、損傷箇所を容易に交換することができ、太陽電池モジュール１０の修復作業を簡便化することができる。
【００５１】
本実施の形態によれば、セル間接続部材３１の配線層のうち、受光面側に位置する第１配線層５１および第３配線層５６の上に保護層５４、５７が設けられるため、受光面保護部材４０の上から見たときの太陽電池セル間の意匠性を向上できる。第１保護層５４および第２保護層５７が設けられない場合、太陽電池セル間に金属である第１配線層５１および第３配線層５６が見えてしまい、デザイン性が低下しうる。一方、本実施の形態によれば、第１保護層５４および第２保護層５７を設けることで、セル間接続部材３１が実質的に見えないようにできる。例えば、白色の保護層を設けることにより、各太陽電池セル１０の外周が白色の枠で囲われる外観デザインにできる。また、黒色の保護層を設ける場合には、太陽電池セル１０とセル間接続部材３１とが一体化したような外観デザインにできる。さらに、第１配線層５１および第３配線層５６の上に保護層５４、５７を設けることで、配線層の金属成分により封止部材４４が変色し、外観のデザイン性が低下するのを抑制できる。
【００５２】
本実施の形態の態様は次の通りである。ある態様の太陽電池モジュール（１０）は、
一主面（裏面２２）上にｎ側電極（２４）およびｐ側電極（２６）が設けられる第１太陽電池セル（２０ａ）と、
一主面（裏面２２）上にｎ側電極（２４）およびｐ側電極（２６）が設けられる第２太陽電池セル（２０ｂ）と、
第１太陽電池セル（２０ａ）の一主面（裏面２２）上および第２太陽電池セル（２０ｂ）の一主面（裏面２２）上に接続される接続部材（セル間接続部材３１）と、を備え、
接続部材（セル間接続部材３１）は、第１太陽電池セル（２０ａ）に接続される第１接続部材（６１）と、第２太陽電池セル（２０ｂ）に接続される第２接続部材（６２）と、を含み、
第１接続部材（６１）は、第１絶縁層（５０）と、第１絶縁層（５０）の第１面（５０ａ）上に設けられる第１配線層（５１）と、第１絶縁層（５０）の第１面（５０ａ）と反対側の第２面（５０ｂ）上に設けられる第２配線層（５２）と、第１絶縁層（５０）を貫通して第１配線層（５１）と第２配線層（５２）を電気的に接続する貫通ビア（５３）とを有し、第１配線層（５１）が第１太陽電池セル（２０ａ）のｎ側電極（２４）またはｐ側電極（２６）と電気的に接続され、
第２接続部材（６２）は、第２絶縁層（５５）と、第２絶縁層（５５）上の第３配線層（５６）とを有し、第３配線層（５６）の第１部分（５６ａ）が第２配線層（５２）と電気的に接続され、第３配線層（５６）の第１部分（５６ａ）と異なる第２部分（５６ｂ）が第２太陽電池セル（２０ｂ）のｎ側電極（２４）またはｐ側電極（２６）と電気的に接続される。
【００５３】
貫通ビア（５３）は、第１太陽電池セル（２０ａ）と第２太陽電池セル（２０ｂ）の間に配置されてもよい。
【００５４】
貫通ビア（５３）は、複数設けられ、複数の貫通ビア（５３）は、第１太陽電池セル（２０ａ）と第２太陽電池セル（２０ｂ）が隣接する方向（ｙ方向）に異なる位置に設けられてもよい。
【００５５】
第１接続部材（６１）は、第１配線層（５１）上に設けられる第１保護層（５４）をさらに含んでもよい。
【００５６】
第２接続部材（６２）は、第３配線層（５６）上に設けられる第２保護層（５７）をさらに含んでもよい。
【００５７】
ｎ側電極（２４）およびｐ側電極（２６）のそれぞれは、セル外周に沿って延在するバスバー電極（２４ａ，２６ａ）と、バスバー電極（２４ａ，２６ａ）から分岐して延在する複数のフィンガー電極（２４ｂ，２６ｂ）と、を有し、
第１配線層（５１）は、バスバー電極（２４ａ，２６ａ）と重なる位置に設けられ、フィンガー電極（２４ｂ，２６ｂ）と重なる位置を避けて設けられてもよい。
【００５８】
本実施の形態の別の態様は、太陽電池モジュール（１０）の製造方法である。この方法は、第１太陽電池セル（２０ａ）のｎ側電極（２４）およびｐ側電極（２６）が設けられる一主面（裏面２２）上と、第３太陽電池セル（２０ｃ）のｎ側電極（２４）およびｐ側電極（２６）が設けられる一主面（裏面２２）上とに第１接続部材（６１）を接続することと、
第１太陽電池セル（２０ａ）と第２太陽電池セル（２０ｂ）の間の位置で第１接続部材（６１）を切断することと、
第２太陽電池セル（２０ｂ）のｎ側電極（２４）およびｐ側電極（２６）が設けられる一主面（裏面２２）上と、第１太陽電池セル（２０ａ）に接続される第１接続部材（６１）の切断された一部とに第２接続部材（６２）を接続することと、を備え、
第１接続部材（６１）は、第１絶縁層（５０）と、第１絶縁層（５０）の第１面（５０ａ）上に設けられる第１配線層（５１）と、第１絶縁層（５０）の第１面（５０ａ）と反対側の第２面（５０ｂ）上に設けられる第２配線層（５２）と、第１絶縁層（５０）を貫通して第１配線層（５１）と第２配線層（５２）を電気的に接続する貫通ビア（５３）とを有し、第１配線層（５１）の第１部分（５１ａ）が第１太陽電池セル（２０ａ）のｎ側電極（２４）またはｐ側電極（２６）と電気的に接続され、第１配線層（５１）の第１部分（５１ａ）と異なる第２部分（５１ｂ）が第３太陽電池セル（２０ｃ）のｎ側電極（２４）またはｐ側電極（２６）と電気的に接続され、
第２接続部材（６２）は、第２絶縁層（５５）と、第２絶縁層上の第３配線層（５６）とを有し、第３配線層（５６）の第１部分（５６ａ）が第２配線層（５２）と電気的に接続され、第３配線層（５６）の第１部分（５６ａ）と異なる第２部分（５６ｂ）が第２太陽電池セル（２０ｂ）のｎ側電極（２４）またはｐ側電極（２６）と電気的に接続される。
【００５９】
以上、本発明を上述の実施の形態を参照して説明したが、本発明は上述の実施の形態に限定されるものではなく、実施の形態および変形例の構成を適宜組み合わせたものや置換したものについても本発明に含まれるものである。
【００６０】
上述の実施の形態では、図４の修復後のセル間接続部材３１を用いる太陽電池モジュール１０について説明した。変形例においては、図６に示す第１接続部材６１のみをセル間接続部材３１として用いてもよい。
【００６１】
ある態様の太陽電池モジュール（１０）は、
一主面（裏面２２）上にｎ側電極（２４）およびｐ側電極（２６）が設けられる第１太陽電池セル（２０ａ）と、
一主面（裏面２２）上にｎ側電極（２４）およびｐ側電極（２６）が設けられる第２太陽電池セル（２０ｃ）と、
第１太陽電池セル（２０ａ）の一主面（裏面２２）上および第２太陽電池セル（２０ｃ）の一主面（裏面２２）上に接続される接続部材（第１接続部材６１）と、を備え、
接続部材（第１接続部材６１）は、絶縁層（第１絶縁層５０）と、絶縁層（第１絶縁層５０）の第１面（５０ａ）上に設けられる第１配線層（５１）と、絶縁層（第１絶縁層５０）の第１面（５０ａ）と反対側の第２面（５０ｂ）上に設けられる第２配線層（５２）と、絶縁層（第１絶縁層５０）を貫通して第１配線層（５１）と第２配線層（５２）を電気的に接続する貫通ビア（５３）とを有し、第１配線層（５１）の第１部分（５１ａ）が第１太陽電池セル（２０ａ）のｎ側電極（２４）またはｐ側電極（２６）と電気的に接続され、第１配線層（５１）の第１部分（５１ａ）と異なる第２部分（５１ｂ）が第２太陽電池セル（２０ｃ）のｎ側電極（２４）またはｐ側電極（２６）と電気的に接続される。
【符号の説明】
【００６２】
１０…太陽電池モジュール、２０…太陽電池セル、２０ａ…第１太陽電池セル、２０ｂ，２０ｃ…第２太陽電池セル、２４…ｎ側電極、２６…ｐ側電極、３１…セル間接続部材、５０…第１絶縁層、５０ａ…第１面、５０ｂ…第２面、５１…第１配線層、５２…第２配線層、５３…貫通ビア、５４…第１保護層、５５…第２絶縁層、５６…第３配線層、６１…第１接続部材、６２…第２接続部材。
【図１】
2018186248.tif 000003
【図２】
2018186248.tif 000004
【図３】
2018186248.tif 000005
【図４】
2018186248.tif 000006
【図５】
2018186248.tif 000007
【図６】
2018186248.tif 000008
【図７】
2018186248.tif 000009
【図８】
2018186248.tif 000010